(57)【要約】【課題】伝播路状態の変化に的確に追従するように送信モード選択の指標を調整する。【解決手段】送信モードテーブル８００は送信装置から送信される信号に適用される変調方式および符号化率の組合せを送信モードとして複数組保持する。チャネル推定部２７０は送信装置との間の通信状態を判定する。ヘッダ解析部２３０は送信装置から送信された送信モードを抽出する。閾値調整部２８０は抽出された送信モードと前回提案されていた送信モードとの差異に応じて次回提案すべき送信モード選択の際の通信状態の閾値を調整する。送信モード提案部２９０は通信状態と閾値との関係に基づいて送信モードテーブル８００に保持される送信モードの中から適切な送信モードを選択して送信装置に提案する。【選択図】図３
2007325142.tif 000002
【特許請求の範囲】
【請求項１】
信号を送信する送信装置と前記信号を受信する受信装置とを備える通信システムであって、
前記受信装置は、
前記送信装置から送信される信号に適用される変調方式および符号化率の組合せを送信モードとして複数組保持する送信モードテーブルと、
前記送信装置との間の通信状態を判定する通信状態判定手段と、
前記送信装置から送信された送信モードを抽出する送信モード抽出手段と、
前記抽出された送信モードと前回提案されていた送信モードとの差異に応じて次回提案すべき送信モード選択の際の前記通信状態の閾値を調整する閾値調整手段と、
前記通信状態と前記閾値との関係に基づいて前記送信モードテーブルに保持される送信モードの中から適切な送信モードを選択して前記送信装置に提案する送信モード提案手段とを具備する
ことを特徴とする通信システム。
【請求項２】
送信装置から送信される信号に適用される変調方式および符号化率の組合せを送信モードとして複数組保持する送信モードテーブルと、
前記送信装置との間の通信状態を判定する通信状態判定手段と、
前記送信装置から送信された送信モードを抽出する送信モード抽出手段と、
前記抽出された送信モードと前回提案されていた送信モードとの差異に応じて次回提案すべき送信モード選択の際の前記通信状態の閾値を調整する閾値調整手段と、
前記通信状態と前記閾値との関係に基づいて前記送信モードテーブルに保持される送信モードの中から適切な送信モードを選択して前記送信装置に提案する送信モード提案手段と
を具備することを特徴とする受信装置。
【請求項３】
前記送信装置から送信された信号についてペイロード部の受信状態を判断するペイロード受信判断手段をさらに具備し、
前記閾値調整手段は、前記ペイロード部の受信に成功した場合において前記送信モード提案手段によって提案された送信モードよりも前記送信モード抽出手段によって抽出された送信モードの方が高速であれば前記閾値を所定量引き下げ、前記ペイロード部の受信に失敗した場合において前記送信モード提案手段によって提案された送信モードよりも前記送信モード抽出手段によって抽出された送信モードの方が高速でなければ前記閾値を所定量引き上げることを特徴とする請求項２記載の受信装置。
【請求項４】
前記送信装置から送信された信号についてヘッダ部の受信状態を判断するヘッダ受信判断手段をさらに具備し、
前記閾値調整手段は、前記ヘッダ部の受信に失敗した場合には前記ペイロード部の受信状態に依存せずに前記閾値を調整することを特徴とする請求項３記載の受信装置。
【請求項５】
送信装置から送信される信号に適用される変調方式および符号化率の組合せを送信モードとして複数組保持する送信モードテーブルを備える受信装置における送信モード提案方法であって、
前記送信装置との間の通信状態を判定する通信状態判定手順と、
前記送信装置から送信された送信モードを抽出する送信モード抽出手順と、
前記抽出された送信モードと前回提案されていた送信モードとの差異に応じて次回提案すべき送信モード選択の際の前記通信状態の閾値を調整する閾値調整手順と、
前記通信状態と前記閾値との関係に基づいて前記送信モードテーブルに保持される送信モードの中から適切な送信モードを選択して前記送信装置に提案する提案手順と
を具備することを特徴とする送信モード提案方法。
【請求項６】
送信装置から送信される信号に適用される変調方式および符号化率の組合せを送信モードとして複数組保持する送信モードテーブルを備える受信装置のためのプログラムであって、
前記送信装置との間の通信状態を判定する通信状態判定手順と、
前記送信装置から送信された送信モードを抽出する送信モード抽出手順と、
前記抽出された送信モードと前回提案されていた送信モードとの差異に応じて次回提案すべき送信モード選択の際の前記通信状態の閾値を調整する閾値調整手順と、
前記通信状態と前記閾値との関係に基づいて前記送信モードテーブルに保持される送信モードの中から適切な送信モードを選択して前記送信装置に提案する提案手順と
をコンピュータに実行させることを特徴とするプログラム。
【請求項７】
信号を送信する送信装置と前記信号を受信する受信装置とを備える通信システムであって、
前記受信装置は、
前記送信装置から送信される信号に適用される変調方式および符号化率の組合せを送信モードとして複数組保持する送信モードテーブルと、
前記送信装置との間の通信状態を判定する通信状態判定手段と、
前記送信装置から送信された信号の受信履歴から次に送信される信号の再送確率を予測する再送確率予測手段と、
前記再送確率に応じて次回提案すべき送信モード選択の際の前記通信状態の閾値を調整する閾値調整手段と、
前記通信状態と前記閾値との関係に基づいて前記送信モードテーブルに保持される送信モードの中から適切な送信モードを選択して前記送信装置に提案する送信モード提案手段とを具備する
ことを特徴とする通信システム。
【請求項８】
送信装置から送信される信号に適用される変調方式および符号化率の組合せを送信モードとして複数組保持する送信モードテーブルと、
前記送信装置との間の通信状態を判定する通信状態判定手段と、
前記送信装置から送信された信号の受信履歴から次に送信される信号の再送確率を予測する再送確率予測手段と、
前記再送確率に応じて次回提案すべき送信モード選択の際の前記通信状態の閾値を調整する閾値調整手段と、
前記通信状態と前記閾値との関係に基づいて前記送信モードテーブルに保持される送信モードの中から適切な送信モードを選択して前記送信装置に提案する送信モード提案手段と
を具備することを特徴とする受信装置。
【請求項９】
前記再送確率予測手段は、前記送信装置から送信された信号の所定のブロックを単位とした誤り率を基準として前記再送確率を予測することを特徴とする請求項８記載の受信装置。
【請求項１０】
前記閾値調整手段は、前記再送確率が所定の率より高いと予測された場合には前記閾値を引き上げることを特徴とする請求項８記載の受信装置。
【請求項１１】
前記送信装置からの信号を送信順序に従って各エントリに保持するバッファをさらに具備し、
前記閾値調整手段は、前記再送確率が所定の率より高いと予測されなかった場合であっても前記バッファにおける解放待ちエントリの連続数が所定の数より多ければ前記閾値を引き上げることを特徴とする請求項１０記載の受信装置。
【請求項１２】
送信装置から送信される信号に適用される変調方式および符号化率の組合せを送信モードとして複数組保持する送信モードテーブルを備える受信装置における送信モード提案方法であって、
前記送信装置との間の通信状態を判定する通信状態判定手順と、
前記送信装置から送信された信号の受信履歴から次に送信される信号の再送確率を予測する再送確率予測手順と、
前記再送確率に応じて次回提案すべき送信モード選択の際の前記通信状態の閾値を調整する閾値調整手順と、
前記通信状態と前記閾値との関係に基づいて前記送信モードテーブルに保持される送信モードの中から適切な送信モードを選択して前記送信装置に提案する提案手順と
を具備することを特徴とする送信モード提案方法。
【請求項１３】
送信装置から送信される信号に適用される変調方式および符号化率の組合せを送信モードとして複数組保持する送信モードテーブルを備える受信装置のためのプログラムであって、
前記送信装置との間の通信状態を判定する通信状態判定手順と、
前記送信装置から送信された信号の受信履歴から次に送信される信号の再送確率を予測する再送確率予測手順と、
前記再送確率に応じて次回提案すべき送信モード選択の際の前記通信状態の閾値を調整する閾値調整手順と、
前記通信状態と前記閾値との関係に基づいて前記送信モードテーブルに保持される送信モードの中から適切な送信モードを選択して前記送信装置に提案する提案手順と
をコンピュータに実行させることを特徴とするプログラム。
【発明の詳細な説明】
【技術分野】
【０００１】
本発明は、通信システムに関し、特に送信装置における送信モード（変調方式および符号化率）を受信装置によって提案する通信システム、および、その処理方法ならびに当該方法をコンピュータに実行させるプログラムに関する。
【背景技術】
【０００２】
無線ＬＡＮ（Local Area Network）や移動通信などの通信装置では、伝送効率向上のため伝播路状況に応じて送信モードを動的に変化させる「適応送信」と呼ばれる仕組みが提案されている。この適応送信によれば、伝播路状況に応じて変調方式や符号化率といった送信モードが変化する。ＭＩＭＯ（Multiple Input Multiple Output）方式が適用される場合には、そのストリーム数もこの送信モードに含まれる。
【０００３】
適応送信における送信モードの決定手法には、大きく分けて（１）送信側で決定する手法、または、（２）受信側で決定する手法、の２種類がある。前者の場合には、受信側からチャネル品質（CHannel Quality）を送信側にフィードバックする。この場合、一般に、フィードバックされる情報量が多いため、伝送効率は低下する。後者の場合には、受信側で観測された伝播路特性に基づいて有限の送信モードが指定されるだけで済むため、フィードバックされる情報量は少ない。
【０００４】
無線ＬＡＮのＩＥＥＥ（Institute of Electrical and Electronic Engineers）８０２．１１ｎ規格や移動通信のＨＳＤＰＡ（High Speed Downlink Packet Access）規格では、後者の手法が採用されている。しかし、受信側で提案された送信モードは、送信側の都合が反映されたものではなく、送信側は必ずしも受信側から提案された送信モードを適用するとは限らない。すなわち、受信側からフィードバックされる送信モードはあくまでも推奨値となる。
【０００５】
一方、受信側における送信モードの選択においては、受信側で通信路の品質が観測され、一定の誤り率を満たす送信モードのうちデータ転送レートが最大のものが選択されるのが一般的である。しかしながら、処理遅延、伝播路特性変化、推定誤差、観測可能なチャネル情報不足などの理由により、選択基準は完全ではなく、送信モード判定基準を受信パケット誤り率のような事後現象を用いて補正する必要がある（例えば、特許文献１参照。）。
【特許文献１】特開２００４−６４７９７号公報（図８）
【発明の開示】
【発明が解決しようとする課題】
【０００６】
上述の従来技術では、ユーザ装置（受信側）において良好に受信されたか否かに応じて基地局（送信側）で送信モードの調整が行われている。
【０００７】
しかしながら、受信側で提案された送信モードと送信側で決定されて実際に使用される送信モードとは必ずしも一致しないため、補正が十分に行われないおそれがある。また、ＱｏＳ（サービス品質）の観点から伝送の対象となるデータの所要誤り率に応じた送信モードの調整は有効であるが、長期的な観測が必要であることから、急激な伝播路状態の変化に追従できないという問題がある。
【０００８】
そこで、本発明は、伝播路状態の変化に的確に追従するように送信モード選択の指標を調整することを目的とする。
【課題を解決するための手段】
【０００９】
本発明は、上記課題を解決するためになされたものであり、その第１の側面は、送信装置から送信される信号に適用される変調方式および符号化率の組合せを送信モードとして複数組保持する送信モードテーブルと、上記送信装置との間の通信状態を判定する通信状態判定手段と、上記送信装置から送信された送信モードを抽出する送信モード抽出手段と、上記抽出された送信モードと前回提案されていた送信モードとの差異に応じて次回提案すべき送信モード選択の際の上記通信状態の閾値を調整する閾値調整手段と、上記通信状態と上記閾値との関係に基づいて上記送信モードテーブルに保持される送信モードの中から適切な送信モードを選択して上記送信装置に提案する送信モード提案手段とを具備することを特徴とする受信装置である。これにより、前回提案されていた送信モードと実際に使用された送信モードとの差異に応じて次回提案すべき送信モード選択の際の通信状態の閾値が調整されるという作用をもたらす。
【００１０】
また、この第１の側面において、上記送信装置から送信された信号についてペイロード部の受信状態を判断するペイロード受信判断手段をさらに具備し、上記閾値調整手段が、上記ペイロード部の受信に成功した場合において上記送信モード提案手段によって提案された送信モードよりも上記送信モード抽出手段によって抽出された送信モードの方が高速であれば上記閾値を所定量引き下げ、上記ペイロード部の受信に失敗した場合において上記送信モード提案手段によって提案された送信モードよりも上記送信モード抽出手段によって抽出された送信モードの方が高速でなければ上記閾値を所定量引き上げるようにしてもよい。これにより、通信状態が予想より良好であると推定された場合にはより転送レートの高い送信モードを選択させ、通信状態が予想より劣悪であると推定された場合にはより確実性の高い送信モードを選択させるという作用をもたらす。
【００１１】
また、この第１の側面において、上記送信装置から送信された信号についてヘッダ部の受信状態を判断するヘッダ受信判断手段をさらに具備し、上記ヘッダ部の受信に失敗した場合には上記ペイロード部の受信状態に依存せずに上記閾値調整手段が上記閾値を調整するようにしてもよい。これにより、適応送信と異なる次元の問題が生じていると推定された場合には適応送信に基づく制御を抑止させるという作用をもたらす。
【００１２】
また、本発明の第２の側面は、送信装置から送信される信号に適用される変調方式および符号化率の組合せを送信モードとして複数組保持する送信モードテーブルと、上記送信装置との間の通信状態を判定する通信状態判定手段と、上記送信装置から送信された信号の受信履歴から次に送信される信号の再送確率を予測する再送確率予測手段と、上記再送確率に応じて次回提案すべき送信モード選択の際の上記通信状態の閾値を調整する閾値調整手段と、上記通信状態と上記閾値との関係に基づいて上記送信モードテーブルに保持される送信モードの中から適切な送信モードを選択して上記送信装置に提案する送信モード提案手段とを具備することを特徴とする受信装置である。これにより、送信装置からの信号の受信履歴から予測された再送確率に応じて、次回提案すべき送信モード選択の際の通信状態の閾値が調整されるという作用をもたらす。
【００１３】
また、この第２の側面において、上記再送確率予測手段は、上記送信装置から送信された信号の所定のブロックを単位とした誤り率を基準として上記再送確率を予測してもよい。これにより、ブロックを単位とした管理を再送確率の予測処理に反映させるという作用をもたらす。
【００１４】
また、この第２の側面において、上記閾値調整手段は、上記再送確率が所定の率より高いと予測された場合には上記閾値を引き上げるようにしてもよい。これにより、再送確率が高ければ、より確実性の高い送信モードを選択させるという作用をもたらす。また、この場合、上記送信装置からの信号を送信順序に従って各エントリに保持するバッファをさらに具備し、上記再送確率が所定の率より高いと予測されなかった場合であっても上記バッファにおける解放待ちエントリの連続数が所定の数より多ければ上記閾値調整手段が上記閾値を引き上げるようにしてもよい。これにより、再送確率が低い場合であってもバッファのエントリが多く解放されると推定されるときには、より確実性の高い送信モードを選択させるという作用をもたらす。
【発明の効果】
【００１５】
本発明によれば、伝播路状態の変化に的確に追従するように送信モード選択の指標を調整することができるという優れた効果を奏し得る。
【発明を実施するための最良の形態】
【００１６】
次に本発明の実施の形態について図面を参照して詳細に説明する。
【００１７】
図１は、本発明の実施の形態における通信システムの全体構成例を示す図である。この通信システムは少なくとも２台の通信装置から構成される。図１（ａ）は、最小構成の２台の通信装置１００および２００から成る通信システムである。ここでは、便宜上、通信装置１００を送信側、通信装置２００を受信側としているが、実際には双方が送受信を行うため、構成自体は基本的に同じである。
【００１８】
なお、本発明の実施の形態では、通信装置１００および２００はＭＩＭＯ（Multiple Input Multiple Output）方式を採用することを想定する。すなわち、通信装置１００および２００は、複数のアンテナを用いて、空間の複数の伝搬チャネルを媒体として通信を行うことができる。
【００１９】
図１（ｂ）のように、通信装置１００は、送信モード決定部１９０において決定した送信モードにより送信を行う。ここで、送信モードとは、送信の際に用いられる変調方式および符号化率をいう。また、上述のＭＩＭＯ方式ではストリーム（伝搬チャネル）毎に異なる変調方式および符号化率を採用できるため、送信モードにはこれらストリームの数やそれらの内容（変調方式および符号化率）を含むことになる。
【００２０】
一方、通信装置２００は、通信装置１００から送信された信号１０９の受信状態に応じて、次の送信に使用すべき送信モードを送信モード提案部２９０において提案する。この提案された送信モードは信号２０９によって通信装置１００に伝達される。通信装置１００は、この提案された送信モードを参考にして、次の送信の送信モードを送信モード決定部１９０において決定する。その際、通信装置１００の状態に合わせて送信モードを決定するため、必ずしも通信装置２００から提案された送信モードが採用されるわけではない。
【００２１】
通信装置１００から送信された信号１０９には、その信号１０９の送信に使用された送信モードが含まれている。通信装置２００は送信に使用された送信モードを抽出して、提案した送信モードと比較する。この比較結果は次の送信モードを提案する際に用いられる。
【００２２】
図２は、本発明の実施の形態における送信側の通信装置１００の一構成例を示す図である。この通信装置１００は、フロントエンド１１０と、多重化器１２１と、変調器１２２と、符号化器１２３と、ヘッダ変調器１３２と、ヘッダ符号化器１３３と、ブロック制御部１６０と、再送バッファ１７０と、送信モード決定部１９０とを備える。
【００２３】
再送バッファ１７０は、送信が失敗した際の再送のために送信データ１０１を保持するバッファである。この再送バッファ１７０に保持された送信データは符号化器１２３に供給される。
【００２４】
符号化器１２３は、再送バッファ１７０から供給された送信データを所定の符号に符号化するものである。伝送誤りに対する耐久性を高めるために、Ｘビットのデータに対して符号化後のデータはＹビットになる。なお、この場合の符号化率Ｒは、Ｒ＝Ｘ／Ｙと表される。
【００２５】
変調器１２２は、符号化器１２３によって符号化されたデータを変調するものである。無線通信の用途では、ＢＰＳＫ、８−ＰＳＫ、ＱＰＳＫなどの位相変調が一般的であるが、１６−ＱＡＭや６４−ＱＡＭなどの振幅情報と組み合わせたものも適用可能である。本発明の実施の形態では、簡単のため、ＢＰＳＫ、ＱＰＳＫ、１６−ＱＡＭの３つの変調モードを備えるものとして説明する。
【００２６】
フロントエンド１１０は、変調されたデータをＭＩＭＯ方式により多重して伝送路へ送信するものである。ＭＩＭＯ伝送は、伝送路の特性を最大限に活用するものであり、伝送路上に複数の独立したパスを確立して、独立したデータストリームを形成するものである。本発明の実施の形態では、簡単のため、２本のデータストリームに対応するＭＩＭＯ方式を想定する。なお、両データストリームに対して同一の送信モードを適用することを前提とする「等送信モードＭＩＭＯ」、および、各データストリームに対して異なる送信モードを適用する「非等送信モードＭＩＭＯ」の両方を適用可能とする。
【００２７】
ブロック制御部１６０は、受信側からフィードバックされる再送要求信号２０８を処理し、正常に受信できたと報告されたデータを再送バッファ１７０から削除する。正常に受信できていないデータは再送バッファ１７０に残され、再度送信するように制御する。なお、ここでは複数のデータから構成されるブロック毎に受信成功（ＡＣＫ）を管理し、複数パケット送受信後に複数パケットに対して再送要求を行うＢＡ（Block ACK）制御を想定している。なお、このＢＡ制御は、ＩＥＥＥ８０２．１１ｅ／ｎ等で採用される再送方式である。
【００２８】
送信モード決定部１９０は、受信側から提案される送信モード２０９を参照して、符号化器１２３および変調器１２２における送信モードの決定を行うものである。ここでは、受信側から提案された送信モードをそのまま適用するのではなく、送信側から観測した伝送路品質や、再送バッファ１７０の残量の状態から独自の指標で、送信モードを選択することが可能である。この送信モード決定部１９０によって決定された送信モードは、ヘッダ情報に含められる。
【００２９】
ヘッダ符号化器１３３は、ヘッダ情報を符号化するものである。ヘッダ変調器１３２は、ヘッダ符号化器１３３によって符号化されたヘッダ情報を変調するものである。本発明の実施の形態では、ヘッダ情報の送信モードは予め定められていることを想定する。多重化器１２１は、他のデータに先立って、ヘッダ情報を時間多重して送信する。移動通信などのチャネル多重可能なシステムでは、別チャネルにてヘッダ情報を送信することも可能である。
【００３０】
図３は、本発明の実施の形態における受信側の通信装置２００の第１の構成例を示す図である。この通信装置２００は、フロントエンド２１０と、復調器２２２と、復号器２２３と、ヘッダ解析部２３０と、ペイロード抽出部２４０と、誤り検出部２５０と、データ管理部２６０と、チャネル推定部２７０と、閾値調整部２８０と、送信モード提案部２９０と、送信モードテーブル８００とを備えている。
【００３１】
フロントエンド２１０は、通信装置１００から送信されたデータ信号を受信して、ストリーム毎に分解するものである。復調器２２２は、ストリーム毎に分解された信号を復調するものである。復号器２２３は、復調された信号を復号するものである。ヘッダ解析部２３０は、復号された信号のヘッダ情報から送信モードを抽出して解析するものである。フロントエンド２１０、復調器２２２および復号器２２３は、ヘッダ解析部２３０によって解析された送信モードに従ってそれぞれの動作を行う。
【００３２】
ペイロード抽出部２４０は、復号された信号からヘッダ情報を除いたペイロード部を抽出するものである。誤り検出部２５０は、ペイロード内のデータに付加されているＣＲＣ（Cyclic Redundancy Check）符号を用いてデータの誤りの有無を検出するものである。
【００３３】
チャネル推定部２７０は、伝播路のストリーム毎の品質を推定するものである。ここで、品質はストリーム毎のＳＮＲ（Signal to Noise Ratio：ＳＮ比）により計測されるものとする。なお、ＳＮＲは、パイロット信号を用いて各アンテナから観測される信号を特異値分解することにより得られる信号成分と、パイロット信号の既知点からの揺れ具合から推定される雑音成分との比から推定することができる。
【００３４】
データ管理部２６０は、受信したデータ信号を送信元の通信装置毎に管理するものである。このデータ管理部２６０は、送信元の通信装置毎に並び替えバッファ６００およびバッファ制御部２６２を備えている。並び替えバッファ６００は、送信順にパケットを並び替えるためのバッファであり、誤りがあったパケット以降のパケットを保持する。バッファ制御部２６２は、１ブロック（例えば１２８パケット）毎の受信成功（ＡＣＫ）または受信失敗（ＮＡＣＫ）の情報を再送要求信号２０８として送信側にフィードバックするものである。
【００３５】
送信モードテーブル８００は、ストリーム毎の送信モードの組合せを保持するテーブルである。この送信モードテーブル８００の内容については後述する。
【００３６】
送信モード提案部２９０は、チャネル推定部２７０において推定されたＳＮＲに基づいて、送信モードテーブル８００に保持された送信モードの中から適切な送信モードを選択して通信装置１００に提案するものである。送信モード提案部２９０が送信モードを選択する際には、それぞれの送信モードを適用するために必要なＳＮＲ（以下、所要ＳＮＲという。）を基準として、送信モード毎に設定された閾値とチャネル推定部２７０において推定されたＳＮＲとが比較され、推定されたＳＮＲが閾値を超えた送信モードのうちで最も所要ＳＮＲの高い送信モードが選択される。所要ＳＮＲの高い送信モードにおいては、それだけ高い転送レートで送信が行われることになる。
【００３７】
閾値調整部２８０は、送信モード提案部２９０において送信モードの選択の際に用いられる閾値を調整するものである。閾値調整部２８０は、送信モード提案部２９０が前回提案した送信モードと通信装置１００が実際に適用した送信モードとを比較して、その差異に応じて閾値を調整する。この閾値調整部２８０の構成については後述する。
【００３８】
図４は、本発明の実施の形態における送信モードテーブル８００の一構成例を示す図である。この送信モードテーブル８００は、２つのストリーム８２０および８３０について符号化率８２１および８３１と変調方式８２２および８３２の組合せをそれぞれ保持している。
【００３９】
ストリーム８２０および８３０の送信モードの組合せについては、それぞれインデックス８１０が付されている。このインデックス８１０は所要ＳＮＲの昇順に並んでいる。すなわち、インデックス８１０が大きくなる程、その送信モードの所要ＳＮＲは高くなる。一方、インデックス８１０が小さくなる程、その送信モードの所要ＳＮＲは低くなり、通信の確実性が高くなる。この例では、インデックスが「１」異なる毎に約３デシベル［ｄｂ］程度所要ＳＮＲが異なるように設定されている。
【００４０】
例えば、インデックス８１０が「０」の場合、ストリーム８２０の符号化率はＲ＝１／２であり、変調方式はＢＰＳＫである。一方、ストリーム８３０は、この送信モードでは使用されない。この場合、ストリーム８２０が単独で使用されるため、転送レートは高くないが、ストリーム間の干渉がなく通信の確実性が高い。
【００４１】
一方、例えば、インデックス８１０が「３１」の場合、ストリーム８２０および８３０の送信モードは、ともに、符号化率Ｒ＝３／４であり、変調方式は１６ＱＡＭである。この場合、ストリーム８２０および８３０が同時に使用されるため転送レートは高いが、通信の際の余裕がないことから通信の確実性は低くなる。
【００４２】
送信モード提案部２９０が送信モードを選択する際には、それぞれのインデックスに付された閾値とチャネル推定部２７０において推定されたＳＮＲとが比較され、推定されたＳＮＲが閾値を超えた送信モードのうちで最も所要ＳＮＲの高い送信モードが選択される。
【００４３】
図５は、本発明の実施の形態における閾値の例を示す図である。図５（ａ）に示すように、送信モード毎に所要ＳＮＲを基準として閾値が設定される。この図において、右方向へ進むほど所要ＳＮＲがより大きくなる。例えば、チャネル推定部２７０において推定されたＳＮＲが閾値Ｔｈ＿８より大きく、閾値Ｔｈ＿９より小さい場合には、インデックスが「８」の送信モード（図４参照）が送信モード提案部２９０によって選択される。
【００４４】
この閾値は、閾値調整部２８０によって調整される。図５（ｂ）のように所要ＳＮＲが大きくなる方に閾値が変更されると、変更前に比べてインデックスの小さい送信モードが選択され易くなる。すなわち、確実性の高い保守的な送信モードが選択されるようになる。例えば、推定されたＳＮＲが図５（ａ）の閾値Ｔｈ＿８より少しだけ大きい場合には、図５（ｂ）のように所要ＳＮＲが大きくなる方に閾値が変更されると、インデックスが「８」から「７」に変更され、より保守的な送信モードが選択されるようになる。
【００４５】
一方、図５（ｃ）のように所要ＳＮＲが小さくなる方に閾値が変更されると、変更前に比べてインデックスの大きい送信モードが選択され易くなる。すなわち、転送レートの高い送信モードが選択されるようになる。例えば、推定されたＳＮＲが図５（ａ）の閾値Ｔｈ＿８より少しだけ小さい場合には、図５（ｃ）のように所要ＳＮＲが小さくなる方に閾値が変更されると、インデックスが「７」から「８」に変更され、より転送レートの高い送信モードが選択されるようになる。
【００４６】
図６は、本発明の実施の形態における受信側の通信装置２００の第１の構成例の要部を示す図である。ヘッダ解析部２３０は、ヘッダ受信判断部２３２と、送信モード抽出部２３４とを備える。誤り検出部２５０は、ペイロード受信判断部２５１を備える。また、閾値調整部２８０は、提案モード保持部２８１と、比較部２８２と、閾値変更部２８３とを備える。
【００４７】
ヘッダ受信判断部２３２は、通信装置１００から送信されたデータ信号について、ヘッダ情報の受信状態を判断するものである。すなわち、ヘッダ受信判断部２３２は、データ信号の受信の有無を判断し、データ信号が受信された場合にはそのヘッダ情報を抽出してそのヘッダ情報の受信に成功したか否かを判断する。この判断結果は、ヘッダ受信結果信号として閾値変更部２８３に供給される。
【００４８】
送信モード抽出部２３４は、データ信号のヘッダ情報に含まれる送信モードを抽出するものである。これにより、そのデータ信号の送信のために実際に適用された送信モードを知ることができる。この送信モードは比較部２８２に供給される。
【００４９】
ペイロード受信判断部２５１は、ペイロード抽出部２４０によって抽出されたペイロード部の受信状態を判断するものである。すなわち、ペイロード受信判断部２５１は、ペイロードの誤り訂正の結果からそのペイロード部の受信に成功したか否かを判断する。この判断結果は、ペイロード受信結果信号２５８として閾値変更部２８３に供給される。
【００５０】
提案モード保持部２８１は、送信モード提案部２９０によって前回提案された送信モードを保持するものである。比較部２８２は、提案モード保持部２８１に保持された送信モードと送信モード抽出部２３４によって抽出された送信モードとを比較して、その差異を生成するものである。すなわち、比較部２８２は、通信装置２００が通信装置１００に対して提案した送信モードと、通信装置１００によって実際に使用された送信モードとを比較する。このとき生成される差異としては、図４により説明したインデックスの値を用いることができる。
【００５１】
閾値変更部２８３は、ヘッダ受信判断部２３２から供給されるヘッダ受信結果信号、ペイロード受信判断部２５１から供給されるペイロード受信結果信号２５８、バッファ制御部２６２から供給される再送要求信号２０８、および、比較部２８２から供給される送信モードの差異に基づいて、送信モード提案部２９０において送信モードの選択の際に用いられる閾値を変更するものである。この閾値は信号線２８９によって送信モード提案部２９０に供給される。
【００５２】
上述のように、所要ＳＮＲが小さくなるように閾値が変更されると転送レートの高い送信モードが選択されるようになり、所要ＳＮＲが大きくなるように閾値が変更されると保守的な送信モードが選択されるようになる。従って、閾値変更部２８３は、基本的には、伝播路の状況が予想より良好であれば所要ＳＮＲが小さくなるように閾値を変更し、伝播路の状況が予想より劣悪であれば所要ＳＮＲが大きくなるように閾値を変更する。
【００５３】
すなわち、前者の場合には、「Ｔｈ←Ｔｈ−ｓｔｅｐ＿ｓｉｚｅ×ＰＥＲ」（式１）となり、後者の場合には、「Ｔｈ←Ｔｈ＋ｓｔｅｐ＿ｓｉｚｅ×（１−ＰＥＲ）」（式２）となる。但し、Ｔｈは閾値、ｓｔｅｐ＿ｓｉｚｅはインデックスの変化量、ＰＥＲはパケット誤り率である。インデックスの変化量ｓｔｅｐ＿ｓｉｚｅは、比較部２８２によって生成される差異の絶対値を用いることができる。パケット誤り率ＰＥＲは、バッファ制御部２６２から供給されるブロック毎の再送要求信号２０８から求めることができる。
【００５４】
但し、ヘッダ受信判断部２３２から供給されるヘッダ受信結果信号によって、通信装置１００からの応答信号が検出できないことが判明した場合、他の通信装置によるパケットとの衝突、または、通信装置２００からフィードバックしたパケットにおける誤りが原因であると推定できる。したがって、この場合は適応送信とは異なる次元の問題であるため、閾値調整部２８０は閾値の調整を行わない。もっとも、通信システム全体のＱｏＳを考慮して、所要ＳＮＲが若干大きくなるように閾値を変更してもよい。
【００５５】
また、ヘッダ受信判断部２３２から供給されるヘッダ受信結果信号によって、ヘッダ情報の受信に失敗したことが判明した場合、他の通信装置によるパケットとの衝突、または、ヘッダ情報が受信できない程に伝播路が悪化していると推定できる。したがって、この場合は適応送信とは異なる次元の問題であるため、閾値調整部２８０は閾値の調整を行わない。もっとも、通信システム全体のＱｏＳを考慮して、所要ＳＮＲが若干大きくなるように閾値を変更してもよい。
【００５６】
また、ペイロード受信判断部２５１から供給されるペイロード受信結果信号２５８によって、ペイロードの受信に失敗したことが判明した場合には、比較部２８２における比較結果によって次のように取り扱いが異なる。通信装置１００によって実際に使用された送信モードのインデックスが、通信装置２００から通信装置１００に対して提案された送信モードのインデックスよりも大きくない場合、すなわち、実際に使用された送信モードが提案された送信モードよりも高速でない場合、それでもペイロードの受信に失敗したのは伝播路状況が予想よりも悪化しているためであると推定し、閾値調整部２８０は所要ＳＮＲが大きくなるように閾値を変更する（上述の式２）。一方、通信装置１００によって実際に使用された送信モードのインデックスが、通信装置２００から通信装置１００に対して提案された送信モードのインデックスよりも大きい場合、すなわち、実際に使用された送信モードが提案された送信モードよりも高速な場合、通信装置１００における送信モード選択手法の問題であると推定されるため、閾値調整部２８０は閾値の調整を行わない。もっとも、通信システム全体のＱｏＳを考慮して、所要ＳＮＲが若干大きくなるように閾値を変更してもよい。
【００５７】
また、ペイロード受信判断部２５１から供給されるペイロード受信結果信号２５８によって、ペイロードの受信に成功したことが確認された場合には、比較部２８２における比較結果によって次のように取り扱いが異なる。通信装置１００によって実際に使用された送信モードのインデックスが、通信装置２００から通信装置１００に対して提案された送信モードのインデックスよりも大きくない場合、すなわち、実際に使用された送信モードが提案された送信モードよりも高速でない場合、受信できて当然であると推定し、閾値調整部２８０は閾値の調整を行わない。もっとも、通信システム全体のＱｏＳを考慮して、所要ＳＮＲが若干小さくなるように閾値を変更してもよい。一方、通信装置１００によって実際に使用された送信モードのインデックスが、通信装置２００から通信装置１００に対して提案された送信モードのインデックスよりも大きい場合、すなわち、実際に使用された送信モードが提案された送信モードよりも高速な場合、それでもペイロードの受信に成功したのは伝播路状況が予想よりも良好なためであると推定し、閾値調整部２８０は所要ＳＮＲが小さくなるように閾値を変更する（上述の式１）。
【００５８】
図７は、本発明の実施の形態における通信システムの処理手順の一例を示す図である。送信側の通信装置１００では、送信モード決定部１９０によって送信モードを決定し（ステップＳ９１１）、その決定された送信モードによってデータ信号を送信する（ステップＳ９１２）。その後、通信装置１００は通信装置２００からのフィードバックを受信する（ステップＳ９１７）。このフィードバックには、通信装置２００から提案された送信モードが含まれている。送信モード決定部１９０は次の送信モードを決定する際（ステップＳ９１１）には、この提案された送信モードを参照して決定する。
【００５９】
受信側の通信装置２００では、通信装置１００からのデータ信号が受信されると（ステップＳ９２２）、チャネル推定部２７０が伝播路状況を推定するとともに（ステップＳ９２３）、ヘッダ解析部２３０が送信モードを抽出する（ステップＳ９２４）。そして、閾値調整部２８０が閾値調整を行うと（ステップＳ９３０）、その閾値に従って送信モード提案部２９０が送信モードを選択する（ステップＳ９２６）。この送信モードは、通信装置１００へのフィードバックに含まれて送信される（ステップＳ９２７）。
【００６０】
図８は、本発明の実施の形態における閾値調整（ステップＳ９３０）の処理手順の一例を示す図である。ヘッダ受信判断部２３２から供給されるヘッダ受信結果信号によって、通信装置１００からの応答信号が検出できないことが判明した場合（ステップＳ９３１）、他の通信装置によるパケットとの衝突、または、通信装置２００からフィードバックしたパケットにおける誤りが原因であると推定できる（ステップＳ９３２）。この場合は適応送信とは異なる次元の問題であるため、閾値調整部２８０は閾値の調整を行わない。もっとも、通信システム全体のＱｏＳを考慮して、所要ＳＮＲが若干大きくなるように閾値を変更してもよい。
【００６１】
ヘッダ受信判断部２３２から供給されるヘッダ受信結果信号によって、ヘッダ情報の受信に失敗したことが判明した場合（ステップＳ９３３）、他の通信装置によるパケットとの衝突、または、ヘッダ情報が受信できない程に伝播路が悪化していると推定できる（ステップＳ９３４）。したがって、この場合は適応送信とは異なる次元の問題であるため、閾値調整部２８０は閾値の調整を行わない。もっとも、通信システム全体のＱｏＳを考慮して、所要ＳＮＲが若干大きくなるように閾値を変更してもよい。
【００６２】
ペイロード受信判断部２５１から供給されるペイロード受信結果信号２５８によって、ペイロードの受信に失敗したことが判明した場合（ステップＳ９３５）、通信装置１００によって実際に使用された送信モードが通信装置２００から提案された送信モードよりも高速でなければ（ステップＳ９５１）、伝播路状況が予想よりも悪化しているためであると推定し（ステップＳ９５２）、閾値調整部２８０は所要ＳＮＲが大きくなるように閾値を変更する（ステップＳ９５３）。一方、通信装置１００によって実際に使用された送信モードが通信装置２００から提案された送信モードよりも高速であれば（ステップＳ９５１）、通信装置１００における送信モード選択手法の問題であると推定されるため（ステップＳ９５４）、閾値調整部２８０は閾値の調整を行わない。もっとも、通信システム全体のＱｏＳを考慮して、所要ＳＮＲが若干大きくなるように閾値を変更してもよい。
【００６３】
ペイロード受信判断部２５１から供給されるペイロード受信結果信号２５８によって、ペイロードの受信に成功したことが確認された場合（ステップＳ９３５）、通信装置１００によって実際に使用された送信モードが通信装置２００から提案された送信モードよりも高速でなければ（ステップＳ９４１）、受信できて当然であると推定し（ステップＳ９４４）、閾値調整部２８０は閾値の調整を行わない。もっとも、通信システム全体のＱｏＳを考慮して、所要ＳＮＲが若干小さくなるように閾値を変更してもよい。一方、通信装置１００によって実際に使用された送信モードが通信装置２００から提案された送信モードよりも高速な場合（ステップＳ９４１）、伝播路状況が予想よりも良好なためであると推定し（ステップＳ９４２）、閾値調整部２８０は所要ＳＮＲが小さくなるように閾値を変更する（ステップＳ９４３）。
【００６４】
このように、本発明の実施の形態の第１の構成例によれば、送信モード提案部２９０によって提案された送信モードと、実際に送信に使用された送信モードとの差異に基づいて閾値調整部２８０が所要ＳＮＲの閾値を調整することにより、伝播路状態の変化に的確に追従することができる。
【００６５】
次に、本発明の実施の形態の通信装置の第２の構成例について説明する。通信システムの全体構成および送信側の通信装置１００は上述の例と同様である。ここでは、受信側の通信装置３００を例にして説明する。
【００６６】
図９は、本発明の実施の形態における受信側の通信装置３００の第２の構成例を示す図である。この通信装置３００は、フロントエンド３１０と、分配器３２１と、復調器３２２と、復号器３２３と、ヘッダ復調器３３２と、ヘッダ復号器３３３と、ヘッダ解析部３３４と、誤り検出部３５０と、データ管理部３６０と、チャネル推定部３７０と、通信品質調整部３８０と、送信モード提案部３９０と、送信モードテーブル８００とを備えている。
【００６７】
フロントエンド３１０は、通信装置１００から送信されたデータ信号を受信して、ストリーム毎に分解するものである。分配器３２１は、ストリーム毎に分解された信号をヘッダ部とペイロード部に分配するものである。
【００６８】
ヘッダ復調器３３２は、ヘッダ部を復調するものである。ヘッダ復号器３３３は、復調されたヘッダ部を復号するものである。ヘッダ解析部３３４は、復号された信号のヘッダ部から送信モードを抽出して解析するものである。
【００６９】
復調器３２２は、ペイロード部を復調するものである。復号器３２３は、復調された信号を復号するものである。フロントエンド３１０、復調器３２２および復号器３２３は、ヘッダ解析部３３４によって解析された送信モードに従ってそれぞれの動作を行う。
【００７０】
誤り検出部３５０は、ペイロード内のデータに付加されているＣＲＣ（Cyclic Redundancy Check）符号を用いてデータの誤りの有無を検出するものである。チャネル推定部３７０は、伝播路のストリーム毎の品質を推定するものである。
【００７１】
データ管理部３６０は、受信したデータ信号を送信元の通信装置毎に管理するものである。このデータ管理部３６０は、送信元の通信装置毎に並び替えバッファ６００およびバッファ制御部３６２を備えている。並び替えバッファ６００は、送信順にパケットを並び替えるためのバッファであり、誤りがあったパケット以降のパケットを保持する。この並び替えバッファ６００の内容については後述する。バッファ制御部３６２は、１ブロック（例えば１２８パケット）毎の受信成功（ＡＣＫ）または受信失敗（ＮＡＣＫ）の情報を再送要求信号２０８として送信側にフィードバックするものである。
【００７２】
送信モードテーブル８００は、図４において説明したように、ストリーム毎の送信モードの組合せを保持するテーブルである。
【００７３】
送信モード提案部３９０は、チャネル推定部３７０において推定されたＳＮＲに基づいて、送信モードテーブル８００に保持された送信モードの中から適切な送信モードを選択して通信装置１００に提案するものである。送信モード提案部３９０が送信モードを選択する際には、それぞれの送信モードを適用するための所要ＳＮＲを基準として、送信モード毎に設定された閾値とチャネル推定部３７０において推定されたＳＮＲとが比較され、推定されたＳＮＲが閾値を超えた送信モードのうちで最も所要ＳＮＲの高い送信モードが選択される。所要ＳＮＲの高い送信モードにおいては、それだけ高い転送レートで送信が行われることになる。
【００７４】
通信品質調整部３８０は、送信モード提案部２９０において送信モードの選択の際に用いられる閾値を調整し、また、再送データがより高確率で伝送されるためにＱｏＳの調整を行うものである。通信品質調整部３８０は、バッファ制御部３６２におけるブロック単位の受信成否の情報（再送要求信号２０８）に基づいて、次のデータが再送になる確率を予測し、これに応じて閾値の調整やＱｏＳの調整を行う。また、その際、並び替えバッファ６００の状態も考慮される。
【００７５】
図１０は、本発明の実施の形態における並び替えバッファ６００の一構成例を示す図である。この並び替えバッファ６００は複数のエントリから成り、各エントリは受信成否フラグ６１０、パケット番号６２０およびデータ６３０をそれぞれ備える。各エントリは１つのパケットに対応している。
【００７６】
受信成否フラグ６１０は、対応するパケットの受信に成功したか否かを示すフラグである。例えば、成功した場合には「１」、失敗した場合には「０」が設定される。パケット番号６２０は、対応するパケットの送信された順番に付与された番号である。この並び替えバッファ６００では、このパケット番号６２０が昇順になるように管理される。データ６３０は、対応するパケットの内容を保持するものである。
【００７７】
この並び替えバッファ６００は、図において上側が古いエントリを表す。この例では、先頭のエントリについて受信が成功していない状態で、以降７つのエントリについては受信が成功している。したがって、先頭のエントリに対応するパケットの受信に成功すれば、以降の７つのエントリも全て解放できるようになる。そこで、このような状態では、次のデータの再送確率が低い場合であっても、通信が成功し易くなるように閾値が調整される。
【００７８】
図１１は、本発明の実施の形態における受信側の通信装置３００の第２の構成例の要部を示す図である。バッファ制御部３６２は、再送予測部３６３および解放予測部３６４を備える。
【００７９】
再送予測部３６３は、各パケットの受信状況に基づいて、ブロック単位の受信成否の情報を再送要求信号２０８として生成するものである。すなわち、ブロック内の誤り数をブロックサイズで除したものをブロック誤り率（ＢＥＲ：Block Error Rate）として生成する。
【００８０】
解放予測部３６４は、並び替えバッファ６００の受信成否フラグ６１０に基づいて、エントリの解放可能性を解析するものである。図１０の例のように、先頭のエントリについて受信が成功していない状態で、以降のエントリが連続して受信成功している場合には、次の受信が成功すれば多くのエントリが解放されることが予想される。そこで、解放予測部３６４は、並び替えバッファ６００の受信成否フラグ６１０について受信成功を示すものが連続している数を計数する。これは、上述の例のように先頭の直後のエントリから連続する数であってもよく、また、並び替えバッファ６００内の受信成功の最大連続数であってもよい。
【００８１】
通信品質調整部３８０は、再送予測部３６３によって生成されたブロック誤り率ＢＥＲが所定の閾値Ｔｈ＿ａよりも大きい場合には、次のデータが再送になる確率が高いと推定して、ＱｏＳの目標とするパケット誤り率ＰＥＲを「０」に設定するとともに、所要ＳＮＲが大きくなるように閾値をＸデシベル［ｄｂ］高く変更する。また、通信品質調整部３８０は、再送予測部３６３によって生成されたブロック誤り率ＢＥＲが閾値Ｔｈ＿ａ以下であって所定の閾値Ｔｈ＿ｂよりも大きい場合には、次のデータが再送になる確率が中程度であると推定して、ＱｏＳの目標とするパケット誤り率ＰＥＲを本来の「１／１０」倍に設定するとともに、所要ＳＮＲが大きくなるように閾値をＹデシベル［ｄｂ］高く変更する。但し、Ｔｈ＿ａ＞Ｔｈ＿ｂ、Ｘ＞Ｙである。
【００８２】
また、通信品質調整部３８０は、再送予測部３６３によって生成されたブロック誤り率ＢＥＲが閾値Ｔｈ＿ｂ以下であれば、次のデータが再送になる確率は低いと推定し、ＱｏＳの目標とするパケット誤り率ＰＥＲを通常通りの設定とする。但し、解放予測部３６４によって解析された結果、並び替えバッファ６００のエントリが所定量まとめて解放される可能性がある場合には、所要ＳＮＲが大きくなるように閾値をＹデシベル［ｄｂ］高く変更する。
【００８３】
図１２は、本発明の実施の形態における通信装置３００の第２の実施例による通信品質調整の処理手順の一例を示す図である。なお、この通信品質調整は、第１の実施例における閾値調整（ステップＳ９３０）に相当する。全体の処理手順は図７と同様であるため、説明を省略する。
【００８４】
再送予測部３６３は、ブロック内の誤り数をブロックサイズで除したものをブロック誤り率ＢＥＲとして生成する（ステップＳ９６１）。通信品質調整部３８０は、再送予測部３６３によって生成されたブロック誤り率ＢＥＲが所定の閾値Ｔｈ＿ａよりも大きい場合には（ステップＳ９６２）、次のデータが再送になる確率が高いと推定して（ステップＳ９６３）、ＱｏＳの目標とするパケット誤り率ＰＥＲを「０」に設定するとともに、所要ＳＮＲが大きくなるように閾値をＸデシベル［ｄｂ］高く変更する。
【００８５】
また、通信品質調整部３８０は、再送予測部３６３によって生成されたブロック誤り率ＢＥＲが閾値Ｔｈ＿ａ以下であって所定の閾値Ｔｈ＿ｂよりも大きい場合には（ステップＳ９６４）、次のデータが再送になる確率が中程度であると推定して（ステップＳ９６５）、ＱｏＳの目標とするパケット誤り率ＰＥＲを本来の「１／１０」倍に設定するとともに、所要ＳＮＲが大きくなるように閾値をＹデシベル［ｄｂ］高く変更する。
【００８６】
また、通信品質調整部３８０は、再送予測部３６３によって生成されたブロック誤り率ＢＥＲが閾値Ｔｈ＿ｂ以下であれば（ステップＳ９６４）、次のデータが再送になる確率は低いと推定し（ステップＳ９６８）、ＱｏＳの目標とするパケット誤り率ＰＥＲを通常通りの設定とする。但し、解放予測部３６４によって解析された結果、並び替えバッファ６００における受信成否フラグ６１０が受信成功を連続して示している場合には（ステップＳ９６６）、並び替えバッファ６００のエントリが所定量まとめて解放される可能性があると推定して（ステップＳ９６７）、所要ＳＮＲが大きくなるように閾値をＹデシベル［ｄｂ］高く変更する。
【００８７】
このように、本発明の実施の形態の第２の構成例によれば、再送予測部３６３において予測された再送確率および解放予測部３６４において予測された解放可能性に従って、通信品質調整部が閾値およびＱｏＳの調整を行うことにより、伝播路状態の変化に的確に追従することができる。
【００８８】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００８９】
すなわち、請求項１および２において、送信モードテーブルは例えば送信モードテーブル８００に対応する。また、通信状態判定手段は例えばチャネル推定部２７０に対応する。また、送信モード抽出手段は例えばヘッダ解析部２３０に対応する。また、閾値調整手段は例えば閾値調整部２８０に対応する。また、送信モード提案手段は例えば送信モード提案部２９０に対応する。
【００９０】
また、請求項３において、ペイロード受信判断手段は例えばペイロード受信判断部２５１に対応する。
【００９１】
また、請求項４において、ヘッダ受信判断手段は例えばヘッダ受信判断部２３２に対応する。
【００９２】
また、請求項５および６において、通信状態判定手順は例えばステップＳ９２３に対応する。また、送信モード抽出手順は例えばステップＳ９２４に対応する。また、閾値調整手順は例えばステップＳ９３０に対応する。また、提案手順は例えばステップＳ９２６に対応する。
【００９３】
また、請求項７および８において、送信モードテーブルは例えば送信モードテーブル８００に対応する。また、通信状態判定手段は例えばチャネル推定部３７０に対応する。また、再送確率予測手段は例えばバッファ制御部３６２に対応する。また、閾値調整手段は例えば通信品質調整部３８０に対応する。また、送信モード提案手段は例えば送信モード提案部３９０に対応する。
【００９４】
また、請求項１１において、バッファは例えば並び替えバッファ６００に対応する。
【００９５】
また、請求項１２および１３において、通信状態判定手順は例えばステップＳ９２３に対応する。また、再送確率予測手順は例えばステップＳ９６２およびＳ９６４に対応する。また、閾値調整手順は例えばステップＳ９６３、Ｓ９６５およびＳ９６７に対応する。また、提案手順は例えばステップＳ９２６に対応する。
【００９６】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【００９７】
【図１】本発明の実施の形態における通信システムの全体構成例を示す図である。
【図２】本発明の実施の形態における送信側の通信装置１００の一構成例を示す図である。
【図３】本発明の実施の形態における受信側の通信装置２００の第１の構成例を示す図である。
【図４】本発明の実施の形態における送信モードテーブル８００の一構成例を示す図である。
【図５】本発明の実施の形態における閾値の例を示す図である。
【図６】本発明の実施の形態における受信側の通信装置２００の第１の構成例の要部を示す図である。
【図７】本発明の実施の形態における通信システムの処理手順の一例を示す図である。
【図８】本発明の実施の形態における閾値調整の処理手順の一例を示す図である。
【図９】本発明の実施の形態における受信側の通信装置３００の第２の構成例を示す図である。
【図１０】本発明の実施の形態における並び替えバッファ６００の一構成例を示す図である。
【図１１】本発明の実施の形態における受信側の通信装置３００の第２の構成例の要部を示す図である。
【図１２】本発明の実施の形態における通信装置３００の第２の実施例による通信品質調整の処理手順の一例を示す図である。
【符号の説明】
【００９８】
１００、２００、３００  通信装置
１１０、２１０、３１０  フロントエンド
１２１  多重化器
１２２  変調器
１２３  符号化器
１３２  ヘッダ変調器
１３３  ヘッダ符号化器
１６０  ブロック制御部
１７０  再送バッファ
１９０  送信モード決定部
２２２、３２２  復調器
２２３、３２３  復号器
２３０、３３４  ヘッダ解析部
２３２  ヘッダ受信判断部
２３４  送信モード抽出部
２４０  ペイロード抽出部
２５０、３５０  誤り検出部
２５１  ペイロード受信判断部
２６０、３６０  データ管理部
２６２、３６２  バッファ制御部
２７０、３７０  チャネル推定部
２８０  閾値調整部
２８１  提案モード保持部
２８２  比較部
２８３  閾値変更部
２９０、３９０  送信モード提案部
３２１  分配器
３３２  ヘッダ復調器
３３３  ヘッダ復号器
３６３  再送予測部
３６４  解放予測部
３８０  通信品質調整部
６００  並び替えバッファ
８００  送信モードテーブル
【図１】
2007325142.tif 000003
【図２】
2007325142.tif 000004
【図３】
2007325142.tif 000005
【図４】
2007325142.tif 000006
【図５】
2007325142.tif 000007
【図６】
2007325142.tif 000008
【図７】
2007325142.tif 000009
【図８】
2007325142.tif 000010
【図９】
2007325142.tif 000011
【図１０】
2007325142.tif 000012
【図１１】
2007325142.tif 000013
【図１２】
2007325142.tif 000014